(57)【要約】【課題】防水シートの展張方向の微調整を行えるようにすることで防水シートの施工精度を向上させ、トンネル周方向の溶着接合部におけるシート端部の切断作業を無くす。【解決手段】作業架台１に対して、トンネル周方向に沿って配設されたレール２と、このレール２に沿って走行する防水シート展張装置本体３とからなり、前記防水シート展張装置本体３は、レール２に沿って走行する走行台車４と、走行台車４にトンネル方向に沿って配向された防水シート１２の保持軸５と、走行台車４上の左右の側にそれぞれ配置された、スライド用ジャッキ６によって走行台車４の走行方向に移動可能とされた左右一対の移動台７，７と、これら移動台７，７の上面側に一端が軸支され傾動用ジャッキ８によって支保工面に向かって揺動自在とされた左右一対の傾動アーム９，９と、これら左右一対の傾動アーム９，９の先端同士を連結する防水シート１２の押え棒１０とからなる。【選択図】図２
2019124068.tif 000002
【特許請求の範囲】
【請求項１】
トンネル方向に沿って移動可能とされる作業架台に対して、支保工面に対して所定の離隔距離を有する状態で、トンネル方向に所定の離間を空けてトンネル周方向に沿って配設された複数本のレールと、このレールに沿って走行可能かつ走行に伴って防水シートの展張を行う防水シート展張装置本体とからなり、
前記防水シート展張装置本体は、前記レールに沿って走行可能とされた走行台車と、前記走行台車にトンネル方向に沿って配向された防水シートの保持軸と、前記走行台車上の左右の側にそれぞれ配置された、スライド用ジャッキによって走行台車の走行方向に移動可能とされた左右一対の移動台と、これら移動台の上面側に一端が軸支され傾動用ジャッキによって支保工面に向かって揺動自在とされた左右一対の傾動アームと、これら左右一対の傾動アームの先端同士を連結する防水シートの押え棒とからなることを特徴とするトンネル用防水シートの展張装置。
【請求項２】
前記走行台車は、レールのそれぞれの側に駆動部を備え、これらの駆動部が独立的に駆動可能となっている請求項１記載のトンネル用防水シートの展張装置。
【請求項３】
前記レールは溝型形綱をスペーサを介在させて背面合わせとし、かつ前記スペーサの上面にチェーンを配設し、前記走行台車に搭載された油圧モータによって駆動されるスプロケットを前記チェーンに歯合させることによりレールに沿って走行可能とされる請求項１、２いずれかに記載のトンネル用防水シートの展張装置。
【請求項４】
前記傾動アームと前記押え棒との連結部は上下方向軸周りの回転を許容するヒンジ継手とされ、前記押え棒の配向方向の変化に追従可能となっている請求項１〜３いずれかに記載のトンネル用防水シートの展張装置。
【請求項５】
前記傾動アームの中間点に、支保工面側への屈曲のみを可能とする片側方向屈曲部を有する請求項１〜４いずれかに記載のトンネル用防水シートの展張装置。
【発明の詳細な説明】
【技術分野】
【０００１】
本発明は、山岳トンネル工事において、覆工コンクリートの打設前に支保工面に対して防水シートを展張するためのトンネル用防水シートの展張装置に関する。
【背景技術】
【０００２】
従来より、山岳トンネル工事においては、アイソレーションや地山からの湧水がトンネル内へ漏出するのを防止するために覆工コンクリートの打設前の支保工面に防水シートを敷設した後、覆工コンクリートの打設が行われている。従来よりこの防水シートの張設作業は、専ら作業架台を用いて吹付けコンクリートなどの支保工面に対して防水シートを人力によって展開し敷設していたが、近年は防水シートの大型化（幅×厚みの増大）に伴って、人力での作業が困難となるため、防水シートの敷設作業を機械的に行う展張装置の開発が行われている。
【０００３】
例えば、下記特許文献１では、 シートロールに巻き付けられた防水シートを巻き戻してトンネル内壁に張設する際に使用される防水シート張り装置であって、トンネル内壁に沿って略アーチ状に作業台車上に設けられた少なくとも一対のレール材と、これらレール材にそれぞれ移動可能に設けられる少なくとも一対の車輪部材と、これら車輪部材に取り付けられると共に、上記シートロールを回転可能に支持する軸部材とを備えた防水シート張り装置が開示されている。
【０００４】
また、下記特許文献２では、トンネル断面と同程度の大きさの一対のガイド走行レールより構成される走行用レール部と、走行用レール部の端部よりもう一方の端部まで走行するよう構成されている駆動装置部と、駆動装置部で牽引されながら走行用レール部の端部よりもう一方の端部まで走行するように構成されていると共に、一対のガイド走行レール間の間隔に相当する幅に構成されたロール状の防水シートの両端を回転自在に支持するように構成されているシートホルダー部と、シートホルダー部より引出された防水シートを支保工面又は防水シートの一方の面に係り止め装置を任意に配置し、防水シートのトンネル中央側より支保工面に圧着させるように構成されているシート押えローラアーム部からなるトンネル用防水シート布設装置が開示されている。
【０００５】
更に、下記特許文献３では、トンネルの吹付面に沿って湾曲する少なくとも一対のガイドレールと、該一対のガイドレールに沿って移動する一対のローラー部と、該一対のローラー部に架設されたシート保持部と着貼部を備え、該シート保持部は該トンネルの縦断方向に沿って配置され、該着貼部は該シート保持部の展張方向で後部に配置され、遊端に押圧ヘッドを回転自在に軸支したレバーを、揺動シリンダにより該押圧ヘッドが該吹付面に対し進退自在に、軸支しているトンネル用防水シートの展張装置が開示されている。
【先行技術文献】
【特許文献】
【０００６】
【特許文献１】特開２０００−２９１３９２号公報
【特許文献２】特開２００１−５９３９８号公報
【特許文献３】特開２００２−２６６５９６号公報
【発明の概要】
【発明が解決しようとする課題】
【０００７】
確かに、防水シートの展張作業が人手作業から機械化されたことによって、作業員の労務負担が著しく軽減されるようになった。しかしながら、上記各防水シートの展張装置の場合、防水シートの展張方向の修正を行うことができない構造であるため、トンネル周方向の中間地点で生じる溶着接合部などで防水シートの展張方向の修正を行うようにしていた。その際、図１１に示されるように、防水シート５０、５０…の溶着接合部で幅方向に余長代が不均衡となり、その余長部分を切断する作業が新たに発生するようになった。
【０００８】
そこで、本発明の主たる課題は、防水シートを機械的に張設することができる展張装置を提供するとともに、防水シートの展張方向の微調整を行えるようにすることで防水シートの施工精度を向上させ、トンネル周方向の溶着接合部におけるシート端部の切断作業を無くすことにある。
【課題を解決するための手段】
【０００９】
上記課題を解決するために請求項１に係る本発明として、トンネル方向に沿って移動可能とされる作業架台に対して、支保工面に対して所定の離隔距離を有する状態で、トンネル方向に所定の離間を空けてトンネル周方向に沿って配設された複数本のレールと、このレールに沿って走行可能かつ走行に伴って防水シートの展張を行う防水シート展張装置本体とからなり、
前記防水シート展張装置本体は、前記レールに沿って走行可能とされた走行台車と、前記走行台車にトンネル方向に沿って配向された防水シートの保持軸と、前記走行台車上の左右の側にそれぞれ配置された、スライド用ジャッキによって走行台車の走行方向に移動可能とされた左右一対の移動台と、これら移動台の上面側に一端が軸支され傾動用ジャッキによって支保工面に向かって揺動自在とされた左右一対の傾動アームと、これら左右一対の傾動アームの先端同士を連結する防水シートの押え棒とからなることを特徴とするトンネル用防水シートの展張装置が提供される。
【００１０】
上記請求項１記載の発明では、作業架台に対して、トンネル方向に所定の離間を空けてトンネル周方向に沿って配設された複数本のレールと、このレールに沿って走行可能かつ走行に伴って防水シートの展張を行う防水シート展張装置本体とによって防水シートの展張装置が構成されている。前記防水シート展張装置本体は、前記レールに沿って走行可能とされた走行台車と、前記走行台車にトンネル方向に沿って配向された防水シートの保持軸と、前記走行台車上の左右の側にそれぞれ配置された、スライド用ジャッキによって走行台車の走行方向に移動可能とされた左右一対の移動台と、これら移動台の上面側に一端が軸支され傾動用ジャッキによって支保工面に向かって揺動自在とされた左右一対の傾動アームと、これら左右一対の傾動アームの先端同士を連結する防水シートの押え棒とを備えている。
【００１１】
従って、前記保持軸に巻いた防水シートをセットしたならば、走行台車を走行させながら防水シートを徐々に展張していく際に、前記傾動用ジャッキを伸縮制御し傾動アームを傾動制御することにより、先端の押え棒によって防水シートを支保工面に対して圧着させて張設することが可能となる。
【００１２】
また、本装置では防水シートの展張方向の微調整が行えるようになっている。すなわち、前記左右に配置された移動台のいずれかを走行台車の走行方向に移動制御することにより、前記押え棒の配向方向に対し平面的に見て傾斜角を持たせることが可能となり、展張させた防水シートの圧着線（押え棒のライン）を傾斜させることによって防水シートの展張方向に修正を加えることが可能となっている。従って、防水シートの展張方向に微妙なズレが生じた際には、前記移動台をスライド用ジャッキによって前後進させて前記押え棒に平面視で傾斜角を持たせ、防水シートの展張方向に微修正を加えることにより、防水シートの施工精度を向上させることができ、トンネル周方向の溶着接合部におけるシート端部の切断作業を無くすことが可能となる。
【００１３】
請求項２に係る本発明として、前記走行台車は、レールのそれぞれの側に駆動部を備え、これらの駆動部が独立的に駆動可能となっている請求項１記載のトンネル用防水シートの展張装置が提供される。
【００１４】
上記請求項２記載の発明では、前記走行台車は、レールのそれぞれの側に駆動部を備え、これらの駆動部が独立的に駆動可能となっている構造とするものである。すなわち、それぞれの駆動部が独立的に駆動することにより、平面視で走行台車全体をその遊び分だけでもヨー軸周りに僅かながら回転させることによって防水シートの展張方向を更に調整し易くできる。
【００１５】
請求項３に係る本発明として、前記レールは溝型形綱をスペーサを介在させて背面合わせとし、かつ前記スペーサの上面にチェーンを配設し、前記走行台車に搭載された油圧モータによって駆動されるスプロケットを前記チェーンに歯合させることによりレールに沿って走行可能とされる請求項１、２いずれかに記載のトンネル用防水シートの展張装置が提供される。
【００１６】
上記請求項３記載の発明は、走行台車におけるレール走行構造の一例を示したものである。本レールの場合は、トンネルの周回り方向の円弧面に沿って配設されるものであるため走行台車がレールに対してスリップしない構造とすることが重要である。そのために、レール面にチェーンを配設してこれに歯合するスプロケットを油圧モータによって駆動する構造とすることが望ましい。
【００１７】
請求項４に係る本発明として、前記傾動アームと前記押え棒との連結部は上下方向軸周りの回転を許容するヒンジ継手とされ、前記押え棒の配向方向の変化に追従可能となっている請求項１〜３いずれかに記載のトンネル用防水シートの展張装置が提供される。
【００１８】
上記請求項４記載の発明では、本装置では平面視で前記押え棒に傾斜角を持たせることにより防水シートの展張方向に微調整を加えるものである。前記押え棒の配向方向の変化に対して弾性変形によって追従させることも可能であるが、前記傾動アームと前記押え棒との連結部を上下方向軸周りの回転を許容するヒンジ継手とすることにより、前記押え棒の配向方向変化に対して柔軟に無理なく追従させることが可能となる。
【００１９】
請求項５に係る本発明として、前記傾動アームの中間点に、支保工面側への屈曲のみを可能とする片側方向屈曲部を有する請求項１〜４いずれかに記載のトンネル用防水シートの展張装置が提供される。
【００２０】
上記請求項５記載の発明では、前記傾動ジャッキを過度に収縮させた際に傾動アームが走行台車等に衝突して損傷するのを防ぐため、前記傾動アームの中間点に、支保工面側への屈曲のみを可能とする片側方向屈曲部を有するようにしたものである。
【発明の効果】
【００２１】
以上詳説のとおり本発明によれば、防水シートを機械的に張設することができる展張装置を提供できるとともに、防水シートの展張方向の微調整を行えるようにすることで防水シートの施工精度を向上させ、トンネル周方向の溶着接合部におけるシート端部の切断作業を無くすことが可能となる。
【図面の簡単な説明】
【００２２】
【図１】本発明に係る防水シートの展張装置を示す横断面図である。
【図２】防水シート展張装置本体３を示す、(A)は断面図、(B)は平面図である。
【図３】防水シート展張装置本体３の傾動アーム９の動作及び移動台７の動作説明図である。
【図４】押え棒１０の配向方向に傾斜角±θを持たせた場合の動作説明図である。
【図５】レール走行構造例を示す要部拡大断面図である。
【図６】防水シート１２の展張要領を示す施工手順図（その１）である。
【図７】防水シート１２の展張要領を示す施工手順図（その２）である。
【図８】防水シート１２の展張要領を示す施工手順図（その３）である。
【図９】傾動アーム９の変形例を示す図(A)(B)である。
【図１０】傾動ジャッキ８を過度に収縮させた際の傾動アーム９の走行台車への衝突状態を示す図である。
【図１１】防水シート５０、５０…の溶着接合部で幅方向に余長代が不均衡となった状態を示す平面展開図である。
【発明を実施するための形態】
【００２３】
以下、本発明の実施の形態について図面を参照しながら詳述する。
【００２４】
図１及び図２に示されるように、本発明に係るトンネル用防水シートの展張装置は、トンネル方向に沿って移動可能とされる作業架台１に対して、支保工面Ｓに対して所定の離隔距離を有する状態で、トンネル方向に所定の離間を空けてトンネル周方向に沿って配設された複数本の、図示では２本のレール２，２と、このレール２，２に沿って走行可能かつ走行に伴って防水シート１２の展張を行う防水シート展張装置本体３とからなるものである。
【００２５】
前記防水シート展張装置本体３は、前記レール２，２に沿って走行可能とされた走行台車４と、前記走行台車４にトンネル方向に沿って配向された防水シート（巻き状態）の保持軸５と、前記走行台車４上の左右の側にそれぞれ配置された、スライド用ジャッキ６によって走行台車４の走行方向に移動可能とされた左右一対の移動台７，７と、これら移動台７，７の上面側に一端が軸支され傾動用ジャッキ８によって支保工面に向かって揺動自在とされた左右一対の傾動アーム９，９と、これら左右一対の傾動アーム９，９の先端同士を連結する防水シート１２の押え棒１０とからなるものである。
【００２６】
以下、更に図面に基づいて具体的に詳述する。
【００２７】
作業架台１は、インバートＨに対してトンネル方向に沿って敷設されたレール４０、４０に沿って移動可能とされる防水シート１２の張設作業のための台車であり、中央にはトンネル内を往来する車両のための通過空間が形成されている。階段と踊り場とを組み合わせて配置することによりトンネルの内壁に近い場所に作業員が行けるようになっている。
【００２８】
本装置では、前記作業架台１に対して、吹付けコンクリートなどの支保工面Ｓに対して所定の離隔距離を有する状態で、かつトンネル方向に所定の離間（概ね２〜５ｍ程度）を空けてトンネル周方向に沿って複数の、図示例では２条のレール２、２が設けられているとともに、これら２条のレール２、２に沿って走行可能かつ走行に伴って防水シート１２の展張を行う防水シート展張装置本体３が設けられている。図示されるように、防水シート展張装置本体３は前後端部を除くトンネル周方向のほぼ全長に亘って走行可能となっている。
【００２９】
さらに前記防水シート展張装置本体３について、図２〜図５に基づいて詳述する。
【００３０】
前記走行台車４は、図２に示されるように、前後左右の４箇所にそれぞれレール２の上フランジを挟持するための上下対の組ローラ１１が配設されている。走行台車４には、２条のレール２，２のそれぞれの側に駆動部（図示せず）を備え、これらの駆動部が独立的に駆動可能となっていることが望ましい。例えば、前記レール２としてＨ型形綱などを用い、前記組ローラ１１の左右の側のいずれかのローラがモータによって駆動されることによって走行台車４の左右それぞれの側が独立的に駆動可能としても良いし、例えば図５に示されるように、溝型形綱１５、１５をスペーサ１６を介在させて背面合わせとし、かつ前記スペーサ１６の上面にチェーン１７を配設し、前記走行台車４に搭載された油圧モータによって駆動されるスプロケット１８を前記チェーン１７に歯合させることによりレール２に沿って走行可能とされる構造としてもよい。
【００３１】
前記走行台車４の防水シート１２の展張時に進行方向前側となる位置に、トンネル方向に沿って配向された、防水シート１２の保持軸５が配設されている。防水シート１２はボイド管に巻かれた状態で現場に搬入され、ボイド管に前記保持軸５を通して、走行台車４の軸受１３、１３に横架させるようにしてセットされる。
【００３２】
前記走行台車４の左右の側にはそれぞれ、スライド用ジャッキ６、６によって走行台車４の走行方向に移動可能とされた左右一対の移動台７、７が設けられている。前記移動台７はＨ型形鋼が使用されており、それを挟むように左右一対で配設された溝型形鋼２０の前後部にそれぞれ上下対の組ローラ２１が配設され、これら組ローラ２１の間に移動台７（Ｈ型形鋼）の下フランジが挟持されることにより移動台７が走行台車４の走行方向に沿って移動可能とされている。そして、移動台７の前端に水平配向で配置されたスライド用ジャッキ６の先端が連結され、図３(B)に示されるように、前記スライド用ジャッキ６の伸縮操作によって移動台７が移動制御されるようになっている。
【００３３】
前記移動台７の上面側には、第１支持板２２が設けられ、この第１支持板２２に一端がピン２３により軸支され支保工面Ｓに向かって揺動自在とされた左右一対の傾動アーム９、９が設けられている。前記左右一対の傾動アーム９、９の基端部同士を連結するように連結材２６が設けられるとともに、この連結材２６から突出させた小アーム２４が設けられ、シリンダ後端が第２支持板２５に回転自在に軸支された傾動用ジャッキ８のピストンの先端が前記小アーム２４の先端に軸支されている。従って、図３(B)に示されるように、前記傾動用ジャッキ８の伸縮操作により、前記傾動アーム９が支保工面Ｓに向かって揺動制御されるようになっている。
【００３４】
前記傾動アーム９の先端には、左右一対の傾動アーム同士９，９を連結する防水シート１２の押え棒１０が設けられている。前記傾動アーム９と前記押え棒１０との連結部は上下方向軸周りの回転を許容するヒンジ継手とされ、前記押え棒１０の配向方向の変化（平面的に見ての傾き）に追従可能となっていることが望ましい。すなわち、図４(A)に示されるように、図示で下側の移動台７を矢印方向に移動させることによって押え棒１０に平面視でθの傾斜角度（配向方向の角度変化）を持たせることが可能であり、図４(B)に示されるように、図示で上側の移動台７を矢印方向に移動させることによって押え棒１０に平面視で−θの傾斜角度（配向方向の角度変化）を持たせることが可能となる。
【００３５】
従って、図２に示されるように、通常は押え棒１０は走行台車４の走行方向に対して垂直方向に配向され、前記保持軸５に巻かれた防水シート１２が引き出され、走行台車４の進行によって前記防水シート１２が繰り出され、前記押え棒１０が傾動アーム９，９の揺動制御によって支保工面側に押し付けられることによって防水シート１２が支保工面Ｓに圧着させるようになっている。
【００３６】
前記防水シート１２の展張方向に微妙なズレが生じた際には、前記移動台７のいずれかをスライド用ジャッキ６によって前後進させて前記押え棒１０に平面視で傾斜角（±θ）を持たせ、防水シート１２の展張方向に微修正を加えることにより、防水シート１２の施工精度を向上させることができ、トンネル周方向の溶着接合部におけるシート端部の切断作業を無くすことが可能となる。
〔施工手順〕
次に、前記防水展張装置を用いた展張要領について図６〜図８に基づいて詳述する。
【００３７】
前記作業架台１を防水シート１２の展張位置に停止させたならば、防水シート展張装置本体３に対して保持軸５に巻かれた防水シート１２をセットする。取付けは、図６に示されるように、防水シート展張装置本体３の軸受部１３が下向きとなる図示でレール２の右端側まで移動させた後、重機類で吊り上げてセットする。次に、図７及び図８に示されるように、図示でレール２の左端側まで移動させた後、防水シート１２を徐々に巻き出しながら防水シート展張装置本体３を移動させつつ、前記押え棒１０によって防水シート１２を支保工面Ｓに圧着させながら防水シート１２の展張を行う。
【００３８】
前記防水シート１２の支保工面Ｓへの固定は、電磁誘導溶着、面ファスナー、接着剤等の種々の方法が実用化されているが、いずれの方法を用いてもよい。
【００３９】
前記電磁誘導溶着による方法は、支保工面Ｓにコンクリート釘で不織布（裏面緩衝材）を固定しておき、更に電磁誘導溶着用の溶着材が貼られたディスク（プラスチック製の円盤）等を不織布（裏面緩衝材）の上からコンクリート釘で固定して、防水シート１２を展張しながら防水シート１２の表面側からディスクウエルダー（高周波電流発生コイル）により電磁誘導溶着で防水シート１２を溶着材付きディスク（プラスチック製の円盤）と溶着固定していく方法と、あるいは支保工面Ｓに電磁誘導溶着用の溶着材が貼られたディスク（プラスチック製の円盤）をコンクリート釘で固定して、事前に（工場にて）貼り合わされた不織布（裏面緩衝材）付き防水シート１２（積層シート材）を展張しながら防水シート１２の表面側からディスクウエルダー（高周波電流発生コイル）により電磁誘導溶着で防水シート１２を溶着材付きディスク（プラスチック製の円盤）と溶着固定していく方法である。
【００４０】
前記面ファスナーによる方法は、支保工面Ｓにコンクリート釘で不織布（裏面緩衝材）を固定しておき、その不織布（裏面緩衝材）と機械的に掛留可能な面ファスナーを事前に（工場にて）裏面に貼り合せておいた防水シート１２を展張しながら防水シート１２の表面側から押さえ付けることにより防水シート１２を内張りした不織布（裏面緩衝材）と接合していく方法と、あるいは支保工面Ｓに不織布（裏面緩衝材）と機械的に掛留可能な面ファスナーを事前にコンクリート釘で固定して、事前に（工場にて）貼り合わされた不織布（裏面緩衝材）付き防水シート１２（積層シート材）を展張しながら防水シート１２の表面側から押さえ付けることにより防水シート１２を接合していく方法がある。
【００４１】
前記接着剤による方法は支保工面Ｓにコンクリート釘で不織布（裏面緩衝材）を固定しておき、更に接着剤が塗られたディスク（プラスチックの円盤）等を不織布（裏面緩衝材）の上からコンクリート釘で固定して、防水シート１２を展張しながら防水シート１２の表面側から押さえ付けることにより防水シート１２を接着剤付きディスク（プラスチックの円盤）と接着固定していく方法である。
【００４２】
なお、トンネル周方向の中間地点で防水シート１２を接合する場合は、前述した図６の要領によって防水シート展張装置本体３に対して新しい防水シート１２をセットすることを繰り返しながら防水シート１２をトンネル周方向に連続させるようにする。トンネル周方向の接合部は熱コテ式溶着機によって防水シート１２同士を連続的に接合するようにすればよい。
【００４３】
〔他の形態例〕
(1)前記傾動アーム９に対して、前記傾動ジャッキ８を過度に収縮させた際に傾動アーム９が走行台車４に衝突し損傷するのを防ぐための安全機構を付与することも可能である。具体的には、図９に示されるように、傾動アーム９の中間地点で、基端側アーム９Ａと先端側アーム９Ｂとに分割して、これらをピン３０で接合して屈曲可能とするとともに、これら基端側アーム９Ａと先端側アーム９Ｂとの連結部において、先端側アーム９Ｂ側に屈曲ストッパー３１を設け、これを基端側アーム９Ａ側に延ばして、基端側アーム９Ａと先端側アーム９Ｂとがほぼ直線状となる状態以上の屈曲を衝突によって防止する、支保工面側への屈曲のみを可能とする片側方向屈曲部を有するようにする。
【００４４】
図９(A)に示されるように、基端側アーム９Ａと先端側アーム９Ｂとが真っ直ぐ延びた状態では屈曲ストッパー３１が先端側アーム９Ｂの反時計回り方向の回転を止めるため防水シート１２の圧着には支障は出ない。しかし、図１０に示されるように、傾動ジャッキ８を過度に収縮させてしまい傾動アーム９が走行台車４に衝突した際には、先端側アーム９Ｂの時計回り方向の回動は許容されるため、前記傾動アーム９が損傷するのを防止することができる。
【符号の説明】
【００４５】
１…作業架台、２…レール、３…防水シート展張装置本体、４…走行台車、５…保持軸（防水シート用）、６…スライド用ジャッキ、７…移動台、８…傾動用ジャッキ、９…傾動アーム、１０…押え棒、１１・２１…組ローラ、１２…防水シート、１３…軸受、Ｓ…支保工面、
【図１】
2019124068.tif 000003
【図２】
2019124068.tif 000004
【図３】
2019124068.tif 000005
【図４】
2019124068.tif 000006
【図５】
2019124068.tif 000007
【図６】
2019124068.tif 000008
【図７】
2019124068.tif 000009
【図８】
2019124068.tif 000010
【図９】
2019124068.tif 000011
【図１０】
2019124068.tif 000012
【図１１】
2019124068.tif 000013